(57)【要約】【課題】靴洗浄装置において洗浄効果を向上させることのできる技術を提供する。【解決手段】靴洗浄装置（１０）は、靴底をブラッシングするブラッシング面（４０ａ）を有する複数のブラシ（４０）と、複数のブラシ（４０）に洗浄液を供給する供給部（６０）と、鉛直方向（Ｚ）において複数のブラシ（４０）よりも下位に設けられて、洗浄液を掛け流しで排出する排出部（７０）とを備える。複数のブラシ（４０）は、それぞれのブラッシング面（４０ａ）が水平面に対して所定の角度（θ）で傾斜して該所定の角度（θ）方向で並んでいる。【選択図】図１２
2015192843.tif 000002
【特許請求の範囲】
【請求項１】
靴底をブラッシングするブラッシング面を有する複数のブラシと、
前記複数のブラシに洗浄液を供給する供給部と、
鉛直方向において前記複数のブラシよりも下位に設けられて、洗浄液を掛け流しで排出する排出部と
を備え、
前記複数のブラシは、それぞれの前記ブラッシング面が水平面に対して所定の角度で傾斜して該所定の角度方向で並んでいることを特徴とする靴洗浄装置。
【請求項２】
請求項１記載の靴洗浄装置において、
前記複数のブラシの前記ブラッシング面のそれぞれを同一回転方向に駆動させる駆動部を更に備える。
【請求項３】
請求項１または２記載の靴洗浄装置において、
前記排出部は、前記複数のブラシへ供給された洗浄液が排出されるまでの流路の中途に設けられ、洗浄液を鉛直方向に落下させる落下部と、前記落下部よりも前記流路の下流側であって該落下部の底部に設けられるダストトラップと、前記ダストトラップの鉛直方向上位に設けられ、ダストを検知する検知部とを備える。
【請求項４】
請求項３記載の靴洗浄装置において、
前記排出部は、洗浄液が流れる液排出面を有する液排出台を備え、
前記落下部は、前記液排出台から洗浄液が落下する位置に設けられる。
【請求項５】
請求項１〜４のいずれか一項に記載の靴洗浄装置において、
前記供給部は、前記所定の角度で傾斜し、洗浄液が流れる液供給面を有する液供給台と、前記液供給台の液供給面下部の両端側から前記所定の角度方向下位に向けて延在し、洗浄液が流れる一対の液供給樋とを備え、
前記液供給台および前記複数のブラシは、前記所定の角度方向において前記液供給面が上位側、前記複数のブラシの前記ブラッシング面が下位側で並び、
前記複数のブラシは、前記一対の液供給樋の間に設けられる。
【請求項６】
請求項５記載の靴洗浄装置において、
前記一対の液供給樋は、それぞれの前記液供給台の液供給面下部側の端部が漏斗構造である。
【請求項７】
請求項５または６記載の靴洗浄装置において、
前記一対の液供給樋は、前記複数のブラシのうち前記所定の角度方向下位のブラシに隣接する液供給口をそれぞれ有する。
【請求項８】
請求項５〜７のいずれか一項に記載の靴洗浄装置において、
前記供給部は、前記液供給面の中央部に設けられ、洗浄液をガイドするガイド部を更に備え、
前記ガイド部は、液供給面下部側に向かって窄まっている。
【請求項９】
請求項５〜８のいずれか一項に記載の靴洗浄装置において、
前記供給部は、前記液供給台の液供給面上部で水平面と平行して延在するパイプと、前記液供給台の液供給面上部に設けられ、前記パイプを収容する収容部とを更に備え、
前記パイプは、該パイプの長さ方向に並んで設けられ、前記収容部の内壁に向けて洗浄液を吐出させる複数の吐出口を有し、
前記収容部は、前記液供給台の液供給面下部側に向けて開口する開口部を有し、
前記開口部は、前記パイプの長さ方向に開口する。
【請求項１０】
靴底をブラッシングするブラッシング面を有するブラシと、
前記ブラシに洗浄液を供給する供給部と、
鉛直方向において前記ブラシよりも下位に設けられて、洗浄液を掛け流しで排出する排出部と
を備え、
前記排出部は、前記ブラシへ供給された洗浄液が排出されるまでの流路の中途に設けられ、洗浄液を鉛直方向に落下させる落下部と、前記落下部よりも前記流路の下流側で前記落下部の底部に設けられるダストトラップと、前記ダストトラップの鉛直方向上位に設けられ、ダストを検知する検知部とを備えることを特徴とする靴洗浄装置。
【請求項１１】
請求項１０記載の靴洗浄装置において、
前記排出部は、前記ダストトラップよりも前記流路の下流側で設けられるダストボックスを更に備える。
【請求項１２】
靴底をブラッシングするブラッシング面を有するブラシと、
前記ブラシに洗浄液を供給する供給部と、
鉛直方向において前記ブラシよりも下位に設けられて、洗浄液を掛け流しで排出する排出部と
を備え、
前記供給部は、所定の角度で傾斜し、洗浄液が流れる液供給面を有する液供給台と、前記液供給台の液供給面下部の両端側から前記所定の角度方向下位に向けて延在し、洗浄液が流れる一対の液供給樋とを備え、
前記液供給台および前記ブラシは、前記所定の角度方向において前記液供給面が上位側、前記ブラシの前記ブラッシング面が下位側で並び、
前記ブラシは、前記一対の液供給樋の間に設けられることを特徴とする靴洗浄装置。
【請求項１３】
請求項１２記載の靴洗浄装置において、
前記一対の液供給樋は、それぞれの前記液供給台の液供給面下部側の端部が漏斗構造である。
【請求項１４】
請求項１２または１３記載の靴洗浄装置において、
前記一対の液供給樋は、前記ブラシに隣接する液供給口をそれぞれ有する。
【請求項１５】
靴底をブラッシングするブラッシング面を有するブラシと、
前記ブラシに洗浄液を供給する供給部と、
鉛直方向において前記ブラシよりも下位に設けられて、洗浄液を掛け流しで排出する排出部と
を備え、
前記供給部は、所定の角度で傾斜し、洗浄液が流れる液供給面を有する液供給台と、前記液供給面の中央部に設けられ、洗浄液をガイドするガイド部とを備え、
前記ガイド部は、液供給面下部側に向かって窄まっていることを特徴とする靴洗浄装置。
【請求項１６】
靴底をブラッシングするブラッシング面を有するブラシと、
前記ブラシに洗浄液を供給する供給部と、
鉛直方向において前記ブラシよりも下位に設けられて、洗浄液を掛け流しで排出する排出部と
を備え、
前記供給部は、所定の角度で傾斜し、洗浄液が流れる液供給面を有する液供給台と、前記液供給台の液供給面上部で水平面と平行して延在するパイプと、前記液供給台の液供給面上部に設けられ、前記パイプを収容する収容部とを備え、
前記液供給台および前記ブラシは、前記所定の角度方向において前記液供給面を上位側とし、前記ブラシの前記ブラッシング面を下位側として並び、
前記パイプは、前記パイプの長さ方向に並んで設けられ、前記収容部の内壁に向けて洗浄液を吐出させる複数の吐出口を有し、
前記収容部は、前記液供給台の液供給面下部側に向けて開口する開口部を有し、
前記開口部は、前記パイプの長さ方向に開口することを特徴とする靴洗浄装置。
【請求項１７】
請求項１６記載の靴洗浄装置において、
前記複数の吐出口は、鉛直方向上向きで前記パイプの長さ方向に並んでいる。
【発明の詳細な説明】
【技術分野】
【０００１】
本発明は、靴洗浄装置に適用して有効な技術に関する。
【背景技術】
【０００２】
特許第５１９２３３６号公報（以下、「特許文献１」という。）には、靴底洗浄装置に関し、水槽に貯留された洗浄水をブラシに含ませて靴底の汚れを取り除く技術が記載されている（特にその明細書段落［００３８］参照）。
【０００３】
登録実用新案第３１４８８４６号公報（以下、「特許文献２」という。）には、靴洗浄装置に関し、洗浄効果を高めるために靴の底部に洗浄水を直接噴射させ、その飛散によりブラシに洗浄水を浸漬させる技術が記載されている。（特にその明細書段落［００５３］、［００５４］参照）。また、特許文献２には、排水と汚れとを分離させるために排水口に集積ネットを設ける技術が記載されている（特にその明細書段落［００４６］参照）。
【先行技術文献】
【特許文献】
【０００４】
【特許文献１】特許第５１９２３３６号公報
【特許文献２】登録実用新案第３１４８８４６号公報
【発明の概要】
【発明が解決しようとする課題】
【０００５】
特許文献１に記載の技術では、取り除かれた靴底のダスト（汚れ、ゴミ）が水槽内に溜まるため、洗浄回数が増えるにつれ、水槽に貯留された洗浄水にはダストが多く含有されていく。ダストを含有した洗浄水を水槽に貯留したままの状態は、不衛生となりやすい。そして、ダストを含有した洗浄水を用いてブラシで靴底を洗浄しても、靴底の汚れを落とす洗浄効果が低下するおそれがある。
【０００６】
また、特許文献２に記載の技術では、ブラシに洗浄水を直接供給するのではなく、靴底に洗浄水を直接噴射させるため、その靴底からのダストを含有する洗浄水をブラシに浸漬させることにもなり、靴底の汚れを落とす洗浄効果が低下するおそれがある。また、特許文献２に記載の技術では、単に集積ネットを設けるものであるため、集積ネットがダストによって詰まると筐体内にダストを含有した洗浄水が溜まり、溜まった洗浄水にブラシが浸漬されることにもなり、靴底の汚れを落とす洗浄効果が低下するおそれがある。
【０００７】
本発明の目的は、靴底の洗浄効果を向上させることのできる技術を提供することにある。本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。本発明の一解決手段に係る靴洗浄装置は、靴底をブラッシングするブラッシング面を有する複数のブラシと、前記複数のブラシに洗浄液を供給する供給部と、鉛直方向において前記複数のブラシよりも下位に設けられて、洗浄液を掛け流しで排出する排出部とを備え、前記複数のブラシは、それぞれの前記ブラッシング面が水平面に対して所定の角度で傾斜して該所定の角度方向で並んでいることを特徴とする。これによれば、洗浄液を掛け流しで用いるため、清潔な洗浄液が供給されたブラシによって靴底をブラッシングできるため、靴底の洗浄効果を向上させることができる。また、複数のブラシを所定の角度方向で並ばせる、すなわち複数のブラシを靴底の踵部からつま先部への方向で並ばせることで靴を動かさなくとも靴底全体を洗浄することができる。また、複数のブラシを所定の角度方向で並ばせることで、洗浄液が上位側のブラシを介して下位側のブラシに供給されることにもなり、洗浄液を有効に利用することができる。
【０００９】
また、前記一解決手段に係る靴洗浄装置において、前記複数のブラシの前記ブラッシング面のそれぞれを同一回転方向に駆動させる駆動部を更に備えることがより好ましい。これによれば、複数のブラシのブラッシング面を互いに異なる回転方向に駆動させる場合と比べて靴を安定させて靴底を洗浄することができる。
【００１０】
また、前記一解決手段に係る靴洗浄装置において、前記排出部は、前記複数のブラシへ供給された洗浄液が排出されるまでの流路の中途に設けられ、洗浄液を鉛直方向に落下させる落下部と、前記落下部よりも前記流路の下流側であって該落下部の底部に設けられるダストトラップと、前記ダストトラップの鉛直方向上位に設けられ、ダストを検知する検知部とを備えることがより好ましい。これによれば、ダストトラップでダストが詰まり、落下部（液溜まり室）に洗浄液が溜まったことを検知部で検知することで、そのダスト詰まりを検知し、靴洗浄を停止させることができる。
【００１１】
ここで、前記排出部は、洗浄液が流れる液排出面を有する液排出台を備え、前記落下部は、前記液排出面から洗浄液が落下する位置に設けられることがより好ましい。これによれば、液排出台と落下部との境界で洗浄液の流れを急に変化させて、確実に落下部に洗浄液が溜まったことを検知部に検知させることができ、検知部が誤動作するのを防止することができる。
【００１２】
また、前記一解決手段に係る靴洗浄装置において、前記供給部は、前記所定の角度で傾斜し、洗浄液が流れる液供給面を有する液供給台と、前記液供給台の液供給面下部の両端側から前記所定の角度方向下位に向けて延在し、洗浄液が流れる一対の液供給樋とを備え、前記液供給台および前記複数のブラシは、前記所定の角度方向において前記液供給面が上位側、前記複数のブラシの前記ブラッシング面が下位側で並び、前記複数のブラシは、前記一対の液供給樋の間に設けられることがより好ましい。これによれば、複数のブラシに対して洗浄液を供給する（当てる）ことができる。
【００１３】
ここで、前記一対の液供給樋は、それぞれの前記液供給台の液供給面下部側の端部が漏斗構造であることがより好ましい。これによれば、液供給面を流れる液洗浄液を集めやすくなり、液供給樋に流れる洗浄液の量を多くすることができる。
【００１４】
また、前記一対の液供給樋は、前記複数のブラシのうち前記所定の角度方向下位のブラシに隣接する液供給口をそれぞれ有することがより好ましい。これによれば、下位側のブラシに対して、上位側のブラシから飛散してくる洗浄液の他に、液供給口から新しい（清潔な）洗浄液を供給することができる。
【００１５】
また、前記供給部は、前記液供給面の中央部に設けられ、洗浄液をガイドするガイド部を更に備え、前記ガイド部は、液供給面下部側に向かって窄まっていることがより好ましい。これによれば、ブラシに対する所定の場所（例えば、ブラシ中央部）に向かって洗浄液を供給することができる。
【００１６】
また、前記供給部は、前記液供給台の液供給面上部で水平面と平行して延在するパイプと、前記液供給台の液供給面上部に設けられ、前記パイプを収容する収容部とを更に備え、前記パイプは、該パイプの長さ方向に並んで設けられ、前記収容部の内壁に向けて洗浄液を吐出させる複数の吐出口を有し、前記収容部は、前記液供給台の液供給面下部側に向けて開口する開口部を有し、前記開口部は、前記パイプの長さ方向に開口することがより好ましい。これによれば、洗浄液の量を均して開口部から洗浄液を流れ出させることができ、液供給面の広範囲にわたって洗浄液を流すことができる。
【発明の効果】
【００１７】
本願において開示される発明のうち、代表的なものによって得られる効果を簡単に説明すれば、次のとおりである。本発明の一解決手段に係る靴洗浄装置によれば、靴底の洗浄効果を向上させることができる。
【図面の簡単な説明】
【００１８】
【図１】本発明の実施形態１に係る靴洗浄装置の模式的な斜視図である。
【図２】図１に示す靴洗浄装置の模式的な正面図である。
【図３】図１に示す靴洗浄装置の模式的な背面図である。
【図４】図１に示す靴洗浄装置の模式的な右側面図である。
【図５】図１に示す靴洗浄装置の模式的な左側面図である。
【図６】図１に示す靴洗浄装置の模式的な上面図である。
【図７】図５に示す靴洗浄装置の模式的な要部断面図である。
【図８】図１に示す靴洗浄装置の模式的な分解斜視図である。
【図９】図８に示す靴洗浄装置の模式的な要部斜視図である。
【図１０】本発明の実施形態２に係る靴洗浄装置の模式的な斜視図である。
【図１１】図１０に示す靴洗浄装置の模式的な正面図である。
【図１２】図１０に示す靴洗浄装置の模式的な左側面図である。
【図１３】図１０に示す靴洗浄装置の模式的な上面図である。
【図１４】図１０に示す靴洗浄装置の模式的な分解斜視図である。
【図１５】図１０に示す靴洗浄装置の模式的な分解斜視図である。
【発明を実施するための形態】
【００１９】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２０】
（実施形態１）
本発明の実施形態１に係る靴洗浄装置１０について、図１〜図９を参照して説明する。図１は、靴洗浄装置１０の模式的な斜視図である。図２は、靴洗浄装置１０の模式的な正面図である。図３は、靴洗浄装置１０の模式的な背面図であり、その内部（一部）を透視したものを破線で示している。図４は、靴洗浄装置１０の模式的な右側面図である。図５は、靴洗浄装置１０の模式的な左側面図であり、その内部を透視したものを実線で示している。図６は、靴洗浄装置１０の模式的な上面図である。図７は、靴洗浄装置１０の模式的な要部断面図であり、図５に示す円Ｃ１で囲まれた領域のものである。図８は、靴洗浄装置１０の模式的な分解斜視図であり、上部（図１に示す電装部３０）を取り外して示している。また、図９は、靴洗浄装置１０の模式的な要部斜視図であり、図８に示す円Ｃ２で囲まれた領域のものである。なお、図１などに、水平面（ＸＹ面）方向としてＸ軸方向、Ｙ軸方向を示し、鉛直方向としてＺ軸方向を示す。このＸ軸、Ｙ軸、Ｚ軸は互いに直交する。
【００２１】
（靴洗浄装置の概要）
靴洗浄装置１０は、防水構造の筐体１１と、筐体１１の底部四隅のそれぞれに取り付けられ、筐体１１を支持するアジャスタ１２とを備える。筐体１１は、板材（例えば、板状のステンレス材）を用いて加工される。靴洗浄装置１０は、片足分の靴底を洗浄するものとして構成されるため、両足分の靴底をブラッシングするものに比べて、省スペースに設置可能である。また、靴洗浄装置１０は、筐体１１に設けられた洗浄部２０および電装部３０を備える。これら洗浄部２０と電装部３０とは、防水の観点で分離して設けられる。
【００２２】
洗浄部２０は、装置外部（筐体１１外部）との接続において洗浄液（例えば、一般上水道水）を引き込むための給水口（手動バルブ２１が設けられる）と、靴底洗浄後の洗浄液を掛け流しで装置外部へ排出する排出口（排出管２２が設けられる）とを備える。また、洗浄部２０は、図５に示すように、靴底をブラッシングするブラッシング面４０ａを有するブラシ４０と、ブラシ４０をブラッシング駆動させる駆動部５０とを備える。また、洗浄部２０は、ブラシ４０に洗浄液を供給する供給部６０と、鉛直方向Ｚにおいてブラシ４０よりも下位（下方）に設けられて、洗浄液を掛け流しで排出する排出部７０とを備える。靴洗浄装置１０において、洗浄部２０では、洗浄液が掛け流しで供給されたブラシ４０によって靴底のブラッシングが行われる。
【００２３】
ここで、供給部６０からブラシ４０に供給された洗浄液が排出部７０で排出されるまでの流路Ｌ（図５中、二点鎖線で大まかな流れを示す）は、閉鎖されずに開放して連通されている。このため、掛け流しされた洗浄液を、装置内部（筐体１１内部）で貯留せずに装置外部へ排出することができる。なお、ブラシ４０に洗浄液を掛け流すことができれば、例えば、排出部７０よりも下流に、貯留部を設けて掛け流しされた洗浄液を貯留させておくこともできる。
【００２４】
供給部６０は、手動バルブ２１側の給水口から例えばホースなどの配管２３（図３参照）を経て供給された洗浄液をブラシ４０に供給するものである。また、供給部６０は、配管２３の給水口側の中途部に設けられた切替弁２４（図３参照）を備える。供給部６０では、切替弁２４の開閉によって、ブラシ４０に洗浄液を供給したり、その供給を停止したりすることができる。
【００２５】
排出部７０は、ブラシ４０に供給された洗浄液を掛け流しで排出口から排出するものである。排出部７０は、図５に示すように、装置内部において洗浄液の流路Ｌの最下位に設けられ、一端が装置内部と連通し、他端が装置外部（筐体１１外部）と連通する排出管２２を備える。排出管２２は、例えば、ステンレス鋼を用いて加工される。また、排出部７０は、鉛直方向Ｚにおいてブラシ４０よりも下位に設けられた例えばフロートスイッチなどの検知部７１（図５参照）を備える。検知部７１は、流路Ｌのブラシ４０よりも下流側において、ダストの詰まりによって洗浄液が排出されていない状態を検知する。排出部７０では、検知部７１で監視し、掛け流しされる洗浄液が目詰まりして溜まった状態で更なるブラシ４０への洗浄液の供給を停止することができる。
【００２６】
電装部３０は、図１または図３に示すように、サーキットプロテクタを有する電源スイッチ３１（漏電ブレーカを兼用させたものでもよい）と、外部電源コード３２と、漏電保護リレー３３と、制御部３４と、センサ３５と、警告（異常）ランプ３６とを備える。電装部３０は、外部電源コード３２を介して電源供給され、電源スイッチ３１のオン、オフ動作により導通、切断が行われる。電源スイッチ３１をオンにすると、靴洗浄装置１０はスタンバイ状態となる（図１０に示すような電源ランプ７６を設け、点灯させてもよい）。また、制御部３４（例えば、ＰＬＣ：programmable logic controller）は、電源スイッチ３１のサーキットプロテクタや漏電保護リレー３３によって、保護される。
【００２７】
制御部３４は、電源供給されたセンサ３５（例えば、モーションセンサ）と電気的に接続される。スタンバイ状態において洗浄対象の靴を履いた足が近づくと、センサ３５がその人体を検知する。また、制御部３４は、センサ３５の状態を監視する。そして、人体を検知したのを受けて、制御部３４は、ブラッシング開始の制御を行う。靴洗浄装置１０では、センサ３５の検知時のみ運転されるように自動運転が行われる。なお、センサ３５ではなく、例えば、ブラッシングを開始するための開始スイッチを設けることで、手動運転を行うこともできる。
【００２８】
また、制御部３４は、電源供給された切替弁２４（例えば、ソレノイドバルブ）と電気的に接続される。センサ３５によって人体を検知したのを受けて、制御部３４は、切替弁２４を開放する。これにより洗浄液が流れ出し、供給部６０によってブラシ４０へ洗浄液が供給される。
【００２９】
また、制御部３４は、電源供給された駆動部５０と電気的に接続される。制御部３４は、切替弁２４を開放してから所定時間経過した後、駆動部５０を駆動させる。具体的には、制御部３４は、ブラシ４０へ洗浄液が供給されたのを見計らって、ブラッシングを開始する。ブラシ４０に洗浄液が供給されないまま靴底を洗浄した場合、洗浄効果が低下してしまうからである。また、ブラッシングする前においてブラシ４０に洗浄液を供給することで、ブラシ４０にダストが付着していた場合であっても、掛け流しされる洗浄液でダストを取り除いた状態からブラッシングを開始できるようになる。駆動部５０の駆動中において、制御部３４は、駆動部５０の過負荷保護のために、駆動部５０の状態を監視する。
【００３０】
また、制御部３４は、検知部７１と電気的に接続される。靴底に付着していたダストによって流路Ｌで詰まりを起こすと、掛け流しされた洗浄液が排出されなくなり、これを検知部７１が検知する。流路Ｌでの詰まりを検知したのを受けて、制御部３４は、洗浄液の供給を停止させるために、切替弁２４を閉鎖させる。
【００３１】
また、制御部３４は、警告ランプ３６と電気的に接続される。検知部７１で詰まりを検知すると、制御部３４は、使用者に排出管２２が詰まったことを知らせて清掃を促すために、警告ランプ３６を点灯させる。このため、警告ランプ３６は、電源スイッチ３１とともに、操作パネルとなる筐体１１の外側面に設けられる。また、制御部３４は、駆動部５０の過負荷時には警告ランプ３６を点灯させる。
【００３２】
このような靴洗浄装置１０を用いて、洗浄対象の靴を履いた使用者は、片足を上げた状態でその片足の靴底（図１中、破線Ａで示す）を洗浄し、もう一方の片足の靴底も同様にして洗浄することができる。この際、靴の長さ方向に前後させることで、靴底の全体を洗浄することができる。本実施形態に係る靴洗浄装置１０によれば、洗浄液を掛け流しで用いるため、常に新しい（清潔な）洗浄液が供給されたブラシ４０によって靴底をブラッシングすることができ、靴底の洗浄効果を向上させることができる。
【００３３】
（靴洗浄装置の詳細）
ブラシ４０は、図５に示すように、ブラシ基材４１と、ブラシ基材４１に植毛された複数のブラシ毛４２とを備える。ブラシ基材４１は、例えば、塩化ビニル樹脂などのプラスチック部材からなる。また、ブラシ毛４２は、例えば、ナイロンなどの繊維部材からなる。ブラシ４０は、図６に示すように、ブラシ基材４１が円板状（図６では、透視した部分を破線で示す）に形成され、この中心Ｏから放射状（図６では、８列で示す）にブラシ毛４２が配置される。このように配置されたブラシ毛４２の先端によって、ブラッシング面４０ａ（図５参照）が形成される。
【００３４】
本実施形態において、図５に示すように、ブラシ４０は、ブラッシング面４０ａが水平面方向Ｙに対して所定の角度θ（例えば、１５°程度）をなして傾斜して設けられる。この角度θ方向の一例として傾斜方向Ｇを図５に示す。ブラッシング面４０ａが傾斜しているので、ダストを含有する洗浄液がブラシ毛４２の間に止まらずに排出され易くなるため、ブラシ４０にダストが付着するのを防止することができる。また、ブラシ４０が駆動部５０によって中心Ｏで回転駆動する回転ブラシとなるため、ブラッシング面４０ａは円形状の回転面となる。ブラッシング面４０ａが円形状となることで、面状に靴底をブラッシングすることができ、靴底の洗浄効果を向上させることができる。
【００３５】
ブラシ４０を回転駆動させる駆動部５０は、図５に示すように、回転軸５１（モータ軸）を有する。駆動部５０は、例えば、インダクションモータなどの電動モータである。回転軸５１には、ブラシ４０がブラシ基材４１の中心Ｏ（図６参照）で接続される。本実施形態では、駆動部５０の回転軸５１がブラシ４０に嵌め込まれる構成となっている。具体的には、ブラシ基材４１には、ブラシ毛４２が植毛された面（植毛面）とは反対側の裏面に凹部（図示せず）が形成されており、回転止めされてその凹部に回転軸５１が嵌め込まれる。このような構成とすることで、回転軸５１に対してブラシ４０の交換（着脱）を容易に行うことができる。
【００３６】
また、駆動部５０は、制御部３４の制御によって、ブラシ４０を正逆回転させることができる。ブラシ４０を正逆回転させることで、ブラシ毛４２が一方向に寝てしまうことを防止し、ブラシ４０の寿命を延ばすことができる。また、ブラッシング中に、ブラシ４０の回転方向を逆転させることで、靴底の汚れが落ちやすくなり、洗浄効果をより向上させることができる。なお、ブラシ４０の正逆回転は、洗浄のたび（例えば、片足ごと）に回転方向を切り換えるように制御されてもよい。
【００３７】
また、ブラシ４０に靴底が強く押し付けられたとき、回転軸５１に係る負荷がかなり大きくなる場合がある。このような場合は、電動モータに流れる電流値を制御部３４で監視して、一定値以上の電流が流れたときに運転を停止する。これにより、電動モータの負担を軽減することができる。
【００３８】
また、駆動部５０の回転軸５１を保護するために、靴洗浄装置１０は、プレート５２を備える。このプレート５２は、円形状のブラシ基材４１よりも僅かに大きい開口部を有しており、この開口部内に同心円となるように配置された円形状のブラシ基材４１の植毛面と面一となるように設けられる。
【００３９】
供給部６０は、図５に示すように、鉛直方向Ｚにおいてブラシ４０よりも上位に設けられる液放出台６１（滑り台）を備える。この液放出台６１は、水平面方向Ｙに対して所定の角度θ（傾斜方向Ｇ）で傾斜し、洗浄液が流れる液供給面６１ａ（滑走面、斜面）を有する。すなわち、液供給台６１およびブラシ４０は、傾斜方向Ｇにおいて液供給面６１ａを上位側とし、ブラシ４０のブラッシング面４０ａを下位側として並んでいる。このため、液放出台６１は、液供給面６１ａから流れてきた洗浄液をブラシ４０（具体的にはブラシ毛４２）に向けて放出させる。そして、この液供給面６１ａの傾斜方向Ｇの下位（下方）にブラシ４０が設けられている。これによれば、液供給面６１ａを流れる洗浄液が面状（幅方向に広がった状態）に整った状態でブラシ４０に向かって飛び出すので、広範囲にわたってブラシ４０に洗浄液を供給することができる。
【００４０】
前述したように、ブラシ４０は、円形状となるブラッシング面４０ａを有する。このため、本実施形態では、液放出台６１から放出された洗浄液をブラシ４０の広範囲に到達させるために、液供給面６１ａの幅Ｗ（図８参照）を、すなわちブラシ４０側の液供給面６１ａの端の長さをブラッシング面４０ａの直径よりも長くしている。また、液放出台６１は、図８に示すように、液供給面６１ａの両側に側壁６１ｂを有する。この側壁６１ｂによって、液供給面６１ａの両側から洗浄液がはみ出る（漏れる）のを防止することができる。
【００４１】
ところで、液放出台６１の液供給面６１ａは、図１に示すように、靴底のつま先部を載置するつま先載置面として用いられる。このため、液放出台６１の液供給面６１ａにおいて靴底が載置された部分からは、洗浄液がブラシ４０に向かって直接的に供給されないものの、洗浄液が靴底を伝ってブラシ４０に供給される。一方、靴底の踵部を載置する踵載置面として、洗浄部２０は、グレーチング２５を備える。すなわち、液供給面６１ａの傾斜方向Ｇ下位（下方）に向かって、液放出台６１（例えば、つま先部が位置する）、ブラシ４０（例えば、土踏まず部）、グレーチング２５（例えば、踵部）がこの順で設けられる。
【００４２】
この液放出台６１の液供給面６１ａ（つま先載置面）とグレーチング２５の表面（踵載置面）とは、靴底が安定して載置されるように面一（同一面内）に設けられる。そして、ブラシ４０は、つま先載置面および踵載置面がなす同一面からブラシ毛４２の先端が、例えば５ｍｍ程度突出するように設けられる（図５参照）。このため、ブラッシング面４０ａは、つま先載置面および踵載置面がなす同一面の垂直方向上方（上位）で、この同一面と平行となる。したがって、例えば、液放出台６１（液供給面６１ａ）に靴底のつま先部およびグレーチング２５に靴底の踵部が載置された場合であっても、靴底の土踏まず部（中央部）がブラッシング面４０ａに当接してブラッシングされる。
【００４３】
ここで、液供給面６１ａと水平面方向Ｙとのなす傾斜する角度θ（図５参照）は、自重によって液供給面６１ａを流れる洗浄液がブラシ４０に到達するように設定される。但し、傾斜する角度θを大きくしすぎると、ブラシ４０に到達した洗浄液の撥ねが大きくなってしまう。このため、本実施形態では、傾斜する角度θを１５°〜２０°としている。
【００４４】
また、洗浄部２０（靴洗浄装置１０）は、洗浄液が撥ねて外部へ飛び散るのを防止するために、飛散防止板２６、２７を備える。例えば、ブラッシング面４０ａに靴底が強く押し付けられた場合、ブラシ毛４２の撓み量が大きくなり、その反動による洗浄液の撥ねがひどくなるおそれがある。そこで、飛散防止板２６、２７を設けることで、使用者の足元を汚してしまうのを防止する。
【００４５】
飛散防止板２６は、例えば、ゴム板などのフレキシブル板である。この飛散防止板２６は、ブラッシング面４０ａの垂直方向上方（上位）であって、ブラッシング面４０ａの中央部を露出してブラッシング面４０ａと平行に設けられる。また、飛散防止板２７は、例えば、ＰＥＴ（polyethylene terephthalate）板などのプラスチック板である。この飛散防止板２７は、傾斜方向Ｇ下方（下位）であって、グレーチング２５端側の筐体１１に、鉛直方向Ｚに起立して設けられる。この飛散防止板２７には、グレーチング２５側に向かって折り曲げられた折り曲げ部２７ａが形成される。この折り曲げ部２７ａによって、例えば、靴底の踵部から洗浄液が外部へ飛び散るのをより防止することができる。
【００４６】
供給部６０は、図３および図７に示すように、液放出台６１の液供給面６１ａ上部で水平面方向Ｘと平行して延在する（液供給面６１ａの傾斜方向Ｇと交差する方向に延在する）パイプ６２を備える。このパイプ６２は、パイプ６２の長さ方向に並んで設けられた複数の吐出口６２ａを有する。そして、パイプ６２の両端は、２本に枝分かれしている配管２３のそれぞれと接続される。このため、パイプ６２の両端からパイプ６２の内部へ洗浄液が供給されて、複数の吐出口６２ａから洗浄液が吐出する。
【００４７】
また、供給部６０は、液供給台６１の液供給面６１ａ上部に設けられ、パイプ６２を収容する収容部６３を備える。この収容部６３は、液供給台６１の液供給面６１ａ下部側に向けて開口する開口部６３ａを有する。より具体的には、収容部６３は、ブラシ４０側の壁部において液供給面６１ａ上に形成された、パイプ６２の長さ方向（水平面方向Ｘ）に延びるように開口する開口部６３ａを有する。このため、図７に示すように、パイプ６２の吐出口６２ａから収容部６３の内壁に向けて洗浄液が吐出され、その内壁を伝うようにして液供給面６１ａにまで達した洗浄液が開口部６３ａから流れ出る。図７中の矢印は、パイプ６２から流れ出た洗浄液が流れる方向を示している。
【００４８】
このような収容部６３に、パイプ６２の長さ方向に複数の吐出口６２ａが設けられたパイプ６２を収容することで、洗浄液の量を均して開口部６３ａから洗浄液を流れ出させることができ、液供給面６１ａの広範囲にわたって洗浄液を流してブラシ４０に洗浄液を供給することができる。
【００４９】
本実施形態では、図９に示すように、水平面方向Ｘに延びる開口部６３ａ（図８参照）において、その中央付近の高さが両側から徐々に高くなるようにしている。すなわち、開口部６３ａの中央の高さＨ１（図９中、破線で示す液供給面６１ａからの高さ）が、開口部６３ａの両側の高さＨ２よりも高い。これによれば、液供給面６１ａの両側よりも中央付近で洗浄液が流れ易くなり、ブラシ４０の中央部側に向かって多くの洗浄液を供給することができる。
【００５０】
また、本実施形態では、鉛直方向Ｚ上向きに開口させ、パイプ６２の長さ方向に複数の吐出口６２ａを並べている。鉛直方向Ｚ上向きの吐出口６２ａから吐出された洗浄液が当接する収容部６３の内壁は、収容部６３の内壁のうち液放出台６１の液供給面６１ａから最も離れた天井（内壁）である。この天井に向かって洗浄液を吐出させることで、液供給面６１ａに到達する際の洗浄液の勢いを抑制することができる。
【００５１】
排出部７０は、図５に示すように、ブラシ４０へ供給された洗浄液が排出されるまでの流路Ｌの中途に設けられる液排出台７４を備える。液排出台７４は、水平面方向Ｙに対して所定の角度θ（傾斜方向Ｇ）で傾斜し、洗浄液が流れる液排出面７４ａを有する。この液排出面７４ａの垂直方向と回転軸５１の軸方向が一致するように液排出面７４ａに駆動部５０が設けられる。このため、回転軸５１に取り付けられるブラシ４０のブラッシング面４０ａと液排出面７４ａとは平行する。すなわち、液排出面７４ａの傾斜する角度を調整することで、ブラシ４０のブラッシング面４０ａの傾斜する角度を調整する（共に、角度θとなる）ことができる。
【００５２】
また、排出部７０は、ブラシ４０へ供給された洗浄液が排出されるまでの流路Ｌの中途に設けられ、液排出台７４の液排出面７４ａから流れてくる洗浄液を鉛直方向Ｚに落下させる落下部７５（液溜まり室）を備える。すなわち、落下部７５は、液排出台７４から洗浄液が落下する位置に設けられる。また、排出部７０は、落下部７５よりも流路Ｌの下流側であって落下部７５の底部に設けられる着脱可能なダストトラップ７３を備える。また、排出部７０は、鉛直方向Ｚにおいてブラシ４０よりも下位であってダストトラップ７３の鉛直方向Ｚの上位に設けられ、ダストを検知する検知部７１（例えば、フロートスイッチ）を備える。
【００５３】
このような排出部７０では、鉛直方向Ｚに洗浄液が通過するようにダストトラップ７３（例えば、フィルタ）が設けられ、このダストトラップ７３によってダストなどが捕集される。そして、ダストトラップ７３の鉛直方向Ｚの上位（上方）に検知部７１が設けられているため、ダストトラップ７３でダストなどが捕集されて洗浄液が排出されにくくなると、ダストトラップ７３上の水位が上昇し、これを検知部７１が検知する。すなわち、ダストトラップ７３でダストが詰まり、落下部７５（液溜まり室）に洗浄液が溜まったことを検知部７１で検知することで、そのダスト詰まりを検知し、靴洗浄を停止させることができる。ダストトラップ７３にダストが溜まった場合には、取り外してダストを除去する（清掃する）ことで、再度靴洗浄を開始させること、すなわち洗浄液を掛け流しで排出することができる。
【００５４】
また、落下部７５が、液排出面７４ａから洗浄液が落下する位置に設けられることで、液排出台７４と落下部７５との境界で洗浄液の流れを急に変化させて、確実に落下部７５に洗浄液が溜まったことを検知部７１に検知させることができる。すなわち、検知部７１が誤動作するのを防止することができる。
【００５５】
また、排出部７０は、洗浄液の流路Ｌにおいて排出管２２の手前（流路Ｌの上流）に設けられたダストボックス７２を備える。洗浄液を排出する場合、洗浄液を排出管２２から直接排出させるのではなく、ダストボックス７２を介することで、ゴミなどによって排出管２２に詰まりが発生したとしてもそのゴミなどを取り除き易くしている。
【００５６】
このように、靴洗浄装置１０は、洗浄液を掛け流しで用いて、常に新しい（清潔な）洗浄水が供給されたブラシ４０によって靴底をブラッシングできるように構成されている。この靴洗浄装置１０によれば、靴底の洗浄効果を向上させることができる。
【００５７】
（実施形態２）
前記実施形態１では、１つのブラシ４０を備える靴洗浄装置１０について説明した。これに対して、本発明の実施形態２では、複数（２つ）のブラシ４０を備える靴洗浄装置１０Ａについて、図１０〜図１５を参照して特に前記実施形態１と相違する点を中心に説明する。図１０は、靴洗浄装置１０Ａの模式的な斜視図である。図１１は、靴洗浄装置１０Ａの模式的な正面図である。図１２は、靴洗浄装置１０Ａの模式的な左側面図であり、その内部を透視したものを実線で示している。図１３は、靴洗浄装置１０Ａの模式的な上面図である。図１４および図１５は、飛散防止板２６，２７を取り外した状態における、靴洗浄装置１０Ａの模式的な分解斜視図である。なお、図１０などに、水平面（ＸＹ面）方向としてＸ軸方向、Ｙ軸方向を示し、鉛直方向としてＺ軸方向を示す。このＸ軸、Ｙ軸、Ｚ軸は互いに直交する。
【００５８】
靴洗浄装置１０Ａは、靴底をブラッシングするブラッシング面４０ａを有する複数のブラシ４０と、複数のブラシ４０に洗浄液を供給する供給部６０と、鉛直方向Ｚにおいて複数のブラシ４０よりも下位に設けられて、洗浄液を掛け流しで排出する排出部７０とを備える。複数のブラシ４０は、それぞれのブラッシング面４０ａが水平面（ＸＹ面）に対して所定の角度θで傾斜して所定の角度θ方向（傾斜方向Ｇ）で並んでいる。すなわち、傾斜方向Ｇの上位側のブラシ４０のブラッシング面４０ａと、下位側のブラシ４０のブラッシング面４０ａとが面一（同一面内）に設けられる。
【００５９】
靴洗浄装置１０Ａにおいても、洗浄液を掛け流しで用いるため、清潔な洗浄液が供給されたブラシ４０によって靴底をブラッシングできるため、靴底の洗浄効果を向上させることができる。また、複数のブラシ４０を所定の角度θ方向で並ばせる、すなわち複数のブラシ４０を靴底の踵部からつま先部への方向で並ばせることで靴を動かさなくとも靴底全体を洗浄することができる。また、複数のブラシ４０を所定の角度θ方向で並ばせることで、洗浄液が上位側のブラシ４０を介して下位側のブラシ４０に供給されることにもなり、洗浄液を有効に利用することができる。
【００６０】
ここで、靴洗浄装置１０Ａは、複数のブラシ４０のブラッシング面４０ａのそれぞれを同一回転方向に駆動させる駆動部５０を備える。この駆動部５０は、１つの電動モータからギアを介して接続された、複数（２つ）のブラシ４０のそれぞれに対応する複数（２つ）の回転軸５１を有する。すなわち、電動モータの回転方向（時計回りまたは反時計回り）に対して複数の回転軸５１が同一方向に回転するようにギアを設けておく。例えば、複数のブラシ４０のそれぞれに複数の電動モータを設けて、複数のブラシ４０のブラッシング面４０ａを互いに異なる回転方向に駆動させることも考えられる。しかしながら、靴底に対して複数のブラシ４０の回転方向が異なると靴底のつま先部と踵部とで異なる方向に振られてしまう。この点、複数のブラシ４０を同一方向に回転させることで、複数のブラシ４０のブラッシング面４０ａを互いに異なる回転方向に駆動させる場合と比べて靴を安定させて靴底を洗浄することができる。
【００６１】
また、靴洗浄装置１０Ａの供給部６０は、所定の角度θで傾斜し、洗浄液が流れる液供給面６１ａを有する液供給台６１と、液供給台６１の液供給面６１ａ下部の両端側から所定の角度θ方向下位（下方）に向けて延在し、洗浄液が流れる一対の液供給樋７８（図１５参照）とを備える。そして、液供給台６１および複数のブラシ４０は、所定の角度θ方向において液供給面６１ａが上位側、複数のブラシ４０のブラッシング面４０ａが下位側で並び、複数のブラシ４０が一対の液供給樋７８の間に設けられる。
【００６２】
液供給面６１ａの両端側のそれぞれに液供給樋７８を設けない場合、その両端側からブラシ４０へ供給される洗浄液の量は、液供給面６１ａの中央部側からブラシ４０へ供給される洗浄液の量よりも少なくなってしまう。これは、円形状となるブラッシング面４０ａに対して、液供給台６１の液供給面６１ａ中央部側より両端側が離れてしまっているからある。そこで、本実施形態では、液供給面６１ａ下部の両端側のそれぞれに液供給樋７８を設け、ブラシ４０に近い位置で液供給樋７８から洗浄液を供給させている。
【００６３】
ここで、一対の液供給樋７８は、それぞれの液供給台６１の液供給面６１ａ下部側の一端部７８ａ（図１４参照）が漏斗構造である。これによれば、液供給面６１ａを流れる液洗浄液を集めやすくなり、液供給樋７８に流れる洗浄液の量を多くすることができる。また、一対の液供給樋７８は、複数のブラシ４０のうち所定の角度θ方向下位のブラシ４０に最も隣接する液供給口７８ｂ（図１４参照）をそれぞれ有する。これによれば、下位側のブラシ４０に対して、上位側のブラシ４０から飛散してくる洗浄液の他に、液供給口７８ｂから新しい（清潔な）洗浄液を供給することができる。このように、一対の液供給樋７８を設けることで、複数のブラシ４０に対して洗浄液を供給する（当てる）ことができる。なお、各液供給樋７８に設けられる液供給口７８ｂは、１つに限らず、樋長さ方向に並ぶように複数であってもよい。
【００６４】
また、靴洗浄装置１０Ａの供給部６０は、液供給面６１ａの中央部に設けられ、洗浄液をガイドするガイド部７７を更に備える。このガイド部７７の内壁７７ａ（図１５参照）は、液供給面６１ａ下部側、すなわちブラシ６０側に向かって窄まっている。これによれば、複数のブラシ４０のうち所定の角度θ方向上位側のブラシ４０に対する所定の場所（例えば、ブラシ中央部）に向かって洗浄液を供給することができる。
【００６５】
以上、本発明を実施形態に基づき具体的に説明したが、本発明は前記実施形態に限定されるものではなく、その要旨を逸脱しない範囲で種々変更可能であることはいうまでもない。
【００６６】
例えば、他の実施形態として、ブラシのブラッシング面を水平面方向と平行に設けることもできる。このようにしても、ブラシには掛け流しで洗浄液が供給されるので、靴底の洗浄効果を向上させることができる。また、ブラッシング面を水平面方向とした場合、両足の靴底を一度に洗浄する構成の靴洗浄装置を提供することもできる。なお、この他の実施形態に対して、前記実施形態１のようにブラッシング面を水平面方向に対して傾斜して設けることで、ダストを含有する洗浄液がブラシの毛の間に止まらずに排出され易くすることができる。
【００６７】
また、例えば、他の実施形態として、特許文献１に記載のような揺動ブラシや、ロール状ブラシを用いることもできる。このようなブラシであっても、ブラシには掛け流しで洗浄液が供給されるので、靴底の洗浄効果を向上させることができる。なお、この他の実施形態のように靴底とブラッシング面の一部が線状に当接するものに対して、前記実施形態１のようにブラッシング面が円形状のブラシを用いることで、ブラッシング面が面状に靴底に当接するので、より靴底の洗浄効果を向上させることができる。
【００６８】
また、例えば、他の実施形態として、ブラシに洗浄液を種々のタイプ（例えば、フラット状、霧状など）で噴射して供給する噴射ノズルを用いることもできる。このような噴射ノズルであっても、広範囲にわたってブラシに洗浄液を供給することができる。なお、この他の実施形態に対して、前記実施形態１のように液放出台（滑り台）を備えることで、簡易な構成であっても、面状に整えて洗浄液を広範囲にわたりブラシに供給することができる。
【００６９】
また、例えば、前記実施形態１では、一般上水道水を装置内に引き込む構成とし、その一般上水道水を洗浄液として用いる場合について説明した。これに限らず、装置内に引き込まれた一般上水道水に洗剤を加えて洗浄液を形成する構成としたり、予め形成された洗剤を含有する洗浄液を装置内に引き込むような構成としたりすることもできる。
【００７０】
また、例えば、前記実施形態１では、液放出台（滑り台）の液供給面が単に平坦な場合について説明した。これに限らず、ブラシの中央部側に向かって洗浄液を流す場合には、液供給面上においてブラシの中央部側に向かって窄まるように２つのガイド（例えば、前記実施形態２におけるガイド部）を設けることもできる。また、洗浄液の流れが規制されるように、例えば、液供給面に傾斜方向と平行な複数の細溝あるいはレールを設けることもできる。
【００７１】
また、例えば、前記実施形態１では、靴底（靴の底部）のみを洗浄するブラシを用いる靴洗浄装置（靴底洗浄装置）について説明した。これに限らず、更に、靴の側部（つま先、踵を含む）を洗浄するブラシを用いて、靴全体を洗浄する靴洗浄装置に適用することもできる。
【００７２】
また、例えば、前記実施形態２では、複数のブラシを備える靴洗浄装置に一対の液供給樋を設ける場合について説明した。これに限らず、前記実施形態１のように、１つのブラシを備える靴洗浄装置に一対の液供給樋を設けることもできる。
【符号の説明】
【００７３】
１０，１０Ａ  靴洗浄装置、１１  筐体、              １２  アジャスタ、
２０  洗浄部、            ２１  手動バルブ、        ２２  排出管、
２３  配管、              ２４  切替弁、            ２５  グレーチング、
２６，２７  飛散防止板、  ２７ａ  折り曲げ部、      ３０  電装部、
３１  電源スイッチ、      ３２  外部電源コード、    ３３  漏電保護リレー、
３４  制御部、            ３５  センサ、            ３６  警告ランプ、
４０  ブラシ、            ４０ａ  ブラッシング面、  ４１  ブラシ基材、
４２  ブラシ毛、          ５０  駆動部、            ５１  回転軸、
５２  プレート、          ６０  供給部、            ６１  液放出台、
６１ａ  液供給面、        ６１ｂ  側壁、            ６２  パイプ、
６２ａ  吐出口、          ６３  収容部、            ６３ａ  開口部、
７０  排出部、            ７１  検知部、            ７２  ダストボックス、
７３  ダストトラップ、    ７４  液排出台、          ７４ａ  液排出面、
７５  落下部、            ７６  電源ランプ、        ７７  ガイド、
７８  樋、                ７８ａ  一端部、          ７８ｂ  液供給口。
【図１】
2015192843.tif 000003
【図２】
2015192843.tif 000004
【図３】
2015192843.tif 000005
【図４】
2015192843.tif 000006
【図５】
2015192843.tif 000007
【図６】
2015192843.tif 000008
【図７】
2015192843.tif 000009
【図８】
2015192843.tif 000010
【図９】
2015192843.tif 000011
【図１０】
2015192843.tif 000012
【図１１】
2015192843.tif 000013
【図１２】
2015192843.tif 000014
【図１３】
2015192843.tif 000015
【図１４】
2015192843.tif 000016
【図１５】
2015192843.tif 000017